(57)【要約】【課題】在り高精査の精度を向上することができる棒金収納装置の提供。【解決手段】カセット５０に、カセット５０の長さ方向に並列状態で棒金Ｂを出金可能に収納するもので、カセット５０の長さ方向に沿って移動可能なキャリア９１と、キャリア９１に支持されてカセット５０に収納された棒金Ｂの磁気データを検出する磁気データ検出手段１４２と、予め記憶された棒金の基準磁気データと、磁気データ検出手段１４２で検出した磁気データとを比較して、正常棒金の有無、異金種棒金の有無、および正常棒金の在り高を確認する確認手段とを備えた。【選択図】図２２
2010061511.tif 000002
【特許請求の範囲】
【請求項１】
カセットに、該カセットの長さ方向に並列状態で棒金を収納する棒金収納装置であって、
前記カセットの長さ方向に沿って移動可能なキャリアと、
該キャリアを前記カセットの長さ方向に沿って移動させる駆動手段と、
前記キャリアに支持されて前記カセットに収納された棒金の磁気データを検出する磁気データ検出手段と、
予め記憶された棒金の基準磁気データと、前記磁気データ検出手段で検出した磁気データとを比較して、正常棒金の有無、異金種棒金の有無、および正常棒金の在り高を確認する確認手段を備えたことを特徴とする棒金収納装置。
【請求項２】
前記磁気データ検出手段は、前記カセットに収納された棒金を直径方向において挟むように配置された一対の磁気センサによって構成されていることを特徴とする請求項１記載の棒金収納装置。
【請求項３】
前記カセットが多段状に配置されており、
前記キャリアには、隣り合う前記カセットの間位置にこれらカセットに共通の支持部が設けられ、
前記共通の支持部が、隣り合う前記カセットのうちの一方に収納された棒金用の一対の磁気センサの一方と、隣り合う前記カセットのうちの他方に収納された棒金用の一対の磁気センサの一方とを支持することを特徴とする請求項２記載の棒金収納装置。
【請求項４】
前記確認手段は、前記一対の磁気センサのうちの一方で検出される磁気データ、および前記一対の磁気センサのうちの他方で検出される磁気データを、前記一対の磁気センサ間の既定の距離と正常棒金の既定の径とから割り出される、前記一対の磁気センサのうちの一方と正常棒金との既定の距離および正常棒金の材質に応じた基準磁気データ、および前記一対の磁気センサのうちの他方と正常棒金との既定の距離および正常棒金の材質に応じた基準磁気データと比較することで、検出した棒金が正常棒金であるか異金種棒金であるかを確認することを特徴とする請求項２または３記載の棒金収納装置。
【請求項５】
前記キャリアは、前記磁気データ検出手段を基準磁性部材が設けられた所定の調整位置に配置可能であり、
前記磁気データ検出手段を前記調整位置に配置し該磁気データ検出手段で前記基準磁性部材の磁気データを検出して該磁気データ検出手段の検出データの補正値または前記基準磁気データの補正値を求める補正手段を有し、前記確認手段は、前記補正手段で求められた補正値に基づいて、前記磁気データ検出手段の検出データまたは前記基準磁気データを補正して、正常棒金の有無、異金種棒金の有無、および正常棒金の在り高を確認することを特徴とする請求項１乃至４のいずれか一項記載の棒金収納装置。
【請求項６】
前記調整位置は、前記カセットの棒金を受け入れる受入位置と、棒金を収納する収納スペースとの間に設けられていることを特徴とする請求項５記載の棒金収納装置。
【請求項７】
前記基準磁性部材は、回転することで、前記カセット内に突出して前記磁気データ検出手段による検出が可能な検出状態と前記カセットから退避する退避状態とに切り替え可能に設けられており、
前記基準磁性部材と一体にアーム部材を設け、
該アーム部材が、前記キャリアの前記調整位置への移動により該キャリアの一部に当接して揺動し前記基準磁性部材を回転させて前記検出状態とする一方、前記キャリアの前記調整位置からの移動により該キャリアへの当接を解除して揺動し前記基準磁性部材を回転させて前記退避状態とすることを特徴とする請求項５または６記載の棒金収納装置。
【請求項８】
前記基準磁性部材は、前記カセットに収納されるべき棒金の金種と同一材質で形成されていることを特徴とする請求項５乃至７のいずれか一項記載の棒金収納装置。
【請求項９】
前記確認手段により前記カセット内の正常棒金の在り高を確認する場合には、該確認の直前に前記キャリアを前記調整位置に配置して前記補正手段で前記補正値を求め、その後、前記キャリアを前記カセットの長さ方向の全体に亘って少なくとも一度移動させて前記カセット内の棒金を前記磁気データ検出手段で検出することを特徴とする請求項５乃至８のいずれか一項記載の棒金収納装置。
【請求項１０】
前記カセットは、長さ方向一側の前端側が後端側より低く且つ幅方向を横方向に沿わせて配置されて前記後端側から幅方向に沿う姿勢で棒金を受け入れるものであり、
前記キャリアには、前記カセットの上側に昇降可能に設けられ、下降した状態で前記カセット上の棒金を上側から抱えるように保持可能な棒金保持機構が設けられていることを特徴とする請求項１乃至９のいずれか一項記載の棒金収納装置。
【請求項１１】
前記棒金保持機構は、
前記キャリアに上下揺動可能に設けられ、下降した一側下降状態で棒金の前後一側に通過を規制するように配置される第１部材と、
該第１部材に上下揺動可能に設けられ、前記一側下降状態にある前記第１部材に対し下降した他側下降状態で当該棒金の前後他側に通過を規制するように配置される第２部材とを有しており、
前記第１部材は上昇した一側上昇状態で棒金の通過を許容し且つ前記第２部材をも棒金の通過を許容する状態とすることを特徴とする請求項１０記載の棒金収納装置。
【請求項１２】
前記第１部材は、前記一側下降状態で棒金の前側に通過を規制するように配置され、
前記第２部材は、前記他側下降状態で当該棒金の後側に通過を規制するように配置されることを特徴とする請求項１１記載の棒金収納装置。
【請求項１３】
前記第１部材が前記キャリアに対し、下側に中間所定位置よりも揺動すると、前記第１部材を下側に付勢して前記一側下降状態に維持し、上側に前記中間所定位置よりも揺動すると、前記第１部材を上側に付勢して前記一側上昇状態に維持する付勢部材を有することを特徴とする請求項１１または１２記載の棒金収納装置。
【請求項１４】
前記棒金保持機構の前記後端側への移動時に、前記一側上昇状態にあった前記第１部材を前記中間所定位置よりも下側に揺動させる下降変換部材を有することを特徴とする請求項１３記載の棒金収納装置。
【請求項１５】
前記棒金保持機構の前記後端側への移動時に、前記下降変換部材および前記付勢部材により前記一側下降状態となる前記第１部材に対し、前記第２部材を上側に揺動させて棒金の通過を許容する状態とする退避変換部材を有することを特徴とする請求項１４記載の棒金収納装置。
【請求項１６】
前記棒金保持機構には、前記前端側への移動時に、前記カセットに既に収納されている棒金に接触して前記一側下降状態にあった前記第１部材を前記中間所定位置よりも上側に揺動させる接触部が設けられていることを特徴とする請求項１３乃至１５のいずれか一項記載の棒金収納装置。
【請求項１７】
前記棒金保持機構の前記前端側への移動時に、前記一側下降状態にあった前記第１部材を前記中間所定位置よりも上側に揺動させる上昇変換部材を有することを特徴とする請求項１３乃至１６のいずれか一項記載の棒金収納装置。
【請求項１８】
前記棒金保持機構には、前記前端側への移動時に、前記カセットに既に収納されている棒金に接触して前記一側下降状態にあった前記第１部材を前記中間所定位置よりも上側に揺動させる接触部が設けられており、
前記棒金保持機構の前記前端側への移動時に、前記一側下降状態にあった前記第１部材を前記中間所定位置よりも上側に揺動させる上昇変換部材を有していて、
前記確認手段により前記カセット内の正常棒金の在り高を確認する場合には、該確認の直前に前記キャリアを前記調整位置に配置して前記補正手段で前記補正値を求めた後、前記キャリアを前記カセットの前記前端側へ移動させて、前記接触部の棒金への接触または前記上昇変換部材によって、前記棒金保持機構の前記第１部材を前記中間所定位置よりも上側に揺動させて前記付勢部材により前記一側上昇状態とし、その後、前記キャリアを前記カセットの前記後端側に移動させながら前記カセット内の棒金を前記磁気データ検出手段で検出することを特徴とする請求項１３乃至１５のいずれか一項記載の棒金収納装置。
【発明の詳細な説明】
【技術分野】
【０００１】
本発明は、棒金を収納する棒金収納装置に関する。
【背景技術】
【０００２】
棒金を並列状態でカセットに収納し、収納している棒金を出金指令に基づいて繰り出す棒金収納装置があり、このような棒金収納装置において、カセット内の棒金の在り高を確認可能なものがある（例えば、特許文献１参照）。この棒金収納装置では、光学センサを用いてカセット内の棒金の在り高を検出するようになっている。
【特許文献１】特開２００４−３１８６０２号公報
【発明の開示】
【発明が解決しようとする課題】
【０００３】
ところで、棒金収納装置においては、棒金を手作業でカセットに追加装填することがあり、例えばこのような場合に、誤って異金種棒金が装填されてしまう可能性がある。上記のように光学センサを用いていると、棒金の有無を検出することはできるものの正常棒金であるか異金種棒金かまでは検出することができず、結果として、在り高精査の精度が劣っていた。
【０００４】
本発明は、在り高精査の精度を向上することができる棒金収納装置の提供を目的とする。
【課題を解決するための手段】
【０００５】
上記目的を達成するために、請求項１に係る発明は、カセットに、該カセットの長さ方向に並列状態で棒金を収納する棒金収納装置であって、前記カセットの長さ方向に沿って移動可能なキャリアと、該キャリアを前記カセットの長さ方向に沿って移動させる駆動手段と、前記キャリアに支持されて前記カセットに収納された棒金の磁気データを検出する磁気データ検出手段と、予め記憶された棒金の基準磁気データと、前記磁気データ検出手段で検出した磁気データとを比較して、正常棒金の有無、異金種棒金の有無、および正常棒金の在り高を確認する確認手段を備えたことを特徴としている。
【０００６】
請求項２に係る発明は、請求項１に係る発明において、前記磁気データ検出手段は、前記カセットに収納された棒金を直径方向において挟むように配置された一対の磁気センサによって構成されていることを特徴としている。
【０００７】
請求項３に係る発明は、請求項２に係る発明において、前記カセットが多段状に配置されており、前記キャリアには、隣り合う前記カセットの間位置にこれらカセットに共通の支持部が設けられ、前記共通の支持部が、隣り合う前記カセットのうちの一方に収納された棒金用の一対の磁気センサの一方と、隣り合う前記カセットのうちの他方に収納された棒金用の一対の磁気センサの一方とを支持することを特徴としている。
【０００８】
請求項４に係る発明は、請求項２または３に係る発明において、前記確認手段は、前記一対の磁気センサのうちの一方で検出される磁気データ、および前記一対の磁気センサのうちの他方で検出される磁気データを、前記一対の磁気センサ間の既定の距離と正常棒金の既定の径とから割り出される、前記一対の磁気センサのうちの一方と正常棒金との既定の距離および正常棒金の材質に応じた基準磁気データ、および前記一対の磁気センサのうちの他方と正常棒金との既定の距離および正常棒金の材質に応じた基準磁気データと比較することで、検出した棒金が正常棒金であるか異金種棒金であるかを確認することを特徴としている。
【０００９】
請求項５に係る発明は、請求項１乃至４のいずれか一項に係る発明において、前記キャリアは、前記磁気データ検出手段を基準磁性部材が設けられた所定の調整位置に配置可能であり、前記磁気データ検出手段を前記調整位置に配置し該磁気データ検出手段で前記基準磁性部材の磁気データを検出して該磁気データ検出手段の検出データの補正値または前記基準磁気データの補正値を求める補正手段を有し、前記確認手段は、前記補正手段で求められた補正値に基づいて、前記磁気データ検出手段の検出データまたは前記基準磁気データを補正して、正常棒金の有無、異金種棒金の有無、および正常棒金の在り高を確認することを特徴としている。
【００１０】
請求項６に係る発明は、請求項５に係る発明において、前記調整位置は、前記カセットの棒金を受け入れる受入位置と、棒金を収納する収納スペースとの間に設けられていることを特徴としている。
【００１１】
請求項７に係る発明は、請求項５または６に係る発明において、前記基準磁性部材は、回転することで、前記カセット内に突出して前記磁気データ検出手段による検出が可能な検出状態と前記カセットから退避する退避状態とに切り替え可能に設けられており、前記基準磁性部材と一体にアーム部材を設け、該アーム部材が、前記キャリアの前記調整位置への移動により該キャリアの一部に当接して揺動し前記基準磁性部材を回転させて前記検出状態とする一方、前記キャリアの前記調整位置からの移動により該キャリアへの当接を解除して揺動し前記基準磁性部材を回転させて前記退避状態とすることを特徴としている。
【００１２】
請求項８に係る発明は、請求項５乃至７のいずれか一項に係る発明において、前記基準磁性部材は、前記カセットに収納されるべき棒金の金種と同一材質で形成されていることを特徴としている。
【００１３】
請求項９に係る発明は、請求項５乃至８のいずれか一項に係る発明において、前記確認手段により前記カセット内の正常棒金の在り高を確認する場合には、該確認の直前に前記キャリアを前記調整位置に配置して前記補正手段で前記補正値を求め、その後、前記キャリアを前記カセットの長さ方向の全体に亘って少なくとも一度移動させて前記カセット内の棒金を前記磁気データ検出手段で検出することを特徴としている。
【００１４】
請求項１０に係る発明は、請求項１乃至９のいずれか一項に係る発明において、前記カセットは、長さ方向一側の前端側が後端側より低く且つ幅方向を横方向に沿わせて配置されて前記後端側から幅方向に沿う姿勢で棒金を受け入れるものであり、前記キャリアには、前記カセットの上側に昇降可能に設けられ、下降した状態で前記カセット上の棒金を上側から抱えるように保持可能な棒金保持機構が設けられていることを特徴としている。
【００１５】
請求項１１に係る発明は、請求項１０に係る発明において、前記棒金保持機構は、前記キャリアに上下揺動可能に設けられ、下降した一側下降状態で棒金の前後一側に通過を規制するように配置される第１部材と、該第１部材に上下揺動可能に設けられ、前記一側下降状態にある前記第１部材に対し下降した他側下降状態で当該棒金の前後他側に通過を規制するように配置される第２部材とを有しており、前記第１部材は上昇した一側上昇状態で棒金の通過を許容し且つ前記第２部材をも棒金の通過を許容する状態とすることを特徴としている。
【００１６】
請求項１２に係る発明は、請求項１１に係る発明において、前記第１部材は、前記一側下降状態で棒金の前側に通過を規制するように配置され、前記第２部材は、前記他側下降状態で当該棒金の後側に通過を規制するように配置されることを特徴としている。
【００１７】
請求項１３に係る発明は、請求項１１または１２に係る発明において、前記第１部材が前記キャリアに対し、下側に中間所定位置よりも揺動すると、前記第１部材を下側に付勢して前記一側下降状態に維持し、上側に前記中間所定位置よりも揺動すると、前記第１部材を上側に付勢して前記一側上昇状態に維持する付勢部材を有することを特徴としている。
【００１８】
請求項１４に係る発明は、請求項１３に係る発明において、前記棒金保持機構の前記後端側への移動時に、前記一側上昇状態にあった前記第１部材を前記中間所定位置よりも下側に揺動させる下降変換部材を有することを特徴としている。
【００１９】
請求項１５に係る発明は、請求項１４に係る発明において、前記棒金保持機構の前記後端側への移動時に、前記下降変換部材および前記付勢部材により前記一側下降状態となる前記第１部材に対し、前記第２部材を上側に揺動させて棒金の通過を許容する状態とする退避変換部材を有することを特徴としている。
【００２０】
請求項１６に係る発明は、請求項１３乃至１５のいずれか一項に係る発明において、前記棒金保持機構には、前記前端側への移動時に、前記カセットに既に収納されている棒金に接触して前記一側下降状態にあった前記第１部材を前記中間所定位置よりも上側に揺動させる接触部が設けられていることを特徴としている。
【００２１】
請求項１７に係る発明は、請求項１３乃至１６のいずれか一項に係る発明において、前記棒金保持機構の前記前端側への移動時に、前記一側下降状態にあった前記第１部材を前記中間所定位置よりも上側に揺動させる上昇変換部材を有することを特徴としている。
【００２２】
請求項１８に係る発明は、請求項１３乃至１５のいずれか一項に係る発明において、前記棒金保持機構には、前記前端側への移動時に、前記カセットに既に収納されている棒金に接触して前記一側下降状態にあった前記第１部材を前記中間所定位置よりも上側に揺動させる接触部が設けられており、前記棒金保持機構の前記前端側への移動時に、前記一側下降状態にあった前記第１部材を前記中間所定位置よりも上側に揺動させる上昇変換部材を有していて、前記確認手段により前記カセット内の正常棒金の在り高を確認する場合には、該確認の直前に前記キャリアを前記調整位置に配置して前記補正手段で前記補正値を求めた後、前記キャリアを前記カセットの前記前端側へ移動させて、前記接触部の棒金への接触または前記上昇変換部材によって、前記棒金保持機構の前記第１部材を前記中間所定位置よりも上側に揺動させて前記付勢部材により前記一側上昇状態とし、その後、前記キャリアを前記カセットの前記後端側に移動させながら前記カセット内の棒金を前記磁気データ検出手段で検出することを特徴としている。
【発明の効果】
【００２３】
請求項１に係る発明によれば、カセットの長さ方向に並列状態で収納された棒金に対して、磁気データ検出手段をキャリアによってカセットの長さ方向に移動させて各棒金の磁気データを検出する。そして、確認手段が、予め記憶された棒金の基準磁気データと、磁気データ検出手段で検出した磁気データとを比較して、正常棒金の有無、異金種棒金の有無、および正常棒金の在り高を確認する。このように各棒金の磁気データを検出するため、正常棒金であるか異金種棒金かを検出することができ、在り高精査の精度を向上することができる。
【００２４】
請求項２に係る発明によれば、磁気データ検出手段が、カセットに収納された棒金を直径方向において挟むように配置された一対の磁気センサによって構成されているため、各棒金の磁気データをより正確に検出することができる。したがって、正常棒金であるか異金種棒金かをより正確に検出することができ、在り高精査の精度をさらに向上することができる。
【００２５】
請求項３に係る発明によれば、キャリアには、隣り合うカセットの間位置にこれらカセットに共通の支持部が設けられ、この共通の支持部に、隣り合うカセットのうちの一方に収納された棒金用の一対の磁気センサの一方と、隣り合うカセットのうちの他方に収納された棒金用の一対の磁気センサの一方とを支持することになるため、支持部の数を減らすことができ、部品点数およびコストを低減することができる。
【００２６】
請求項４に係る発明によれば、確認手段が、一対の磁気センサのうちの一方で検出される磁気データ、および一対の磁気センサのうちの他方で検出される磁気データを、一対の磁気センサ間の既定の距離と正常棒金の既定の径とから割り出される、一対の磁気センサのうちの一方と正常棒金との既定の距離および正常棒金の材質に応じた基準磁気データ、および一対の磁気センサのうちの他方と正常棒金との既定の距離および正常棒金の材質に応じた基準磁気データと比較することで、検出した棒金が正常棒金であるか異金種棒金であるかを確認するため、棒金の径および材質に基づいて正常棒金であるか異金種棒金であるかを確認することができる。したがって、正常棒金であるか異金種棒金かをより正確に検出することができ、在り高精査の精度をさらに向上することができる。
【００２７】
請求項５に係る発明によれば、補正手段が、キャリアによって磁気データ検出手段を所定の調整位置に配置し、磁気データ検出手段で基準磁性部材の磁気データを検出して、磁気データ検出手段の検出データの補正値または基準磁気データの補正値を求める。そして、確認手段が、この補正値に基づいて、磁気データ検出手段の検出データまたは基準磁気データを補正して、正常棒金の有無、異金種棒金の有無、および正常棒金の在り高を確認する。よって、温度変化によって磁気データ検出手段の検出レベルが変化することがあっても、正常棒金であるか異金種棒金かを正確に検出することができる。
【００２８】
請求項６に係る発明によれば、基準磁性部材が設けられる所定の調整位置が、カセットの棒金を受け入れる受入位置と、棒金を収納する収納スペースとの間に設けられているため、受入位置よりも外側に設ける場合と比べて、装置の小型化を図ることができる。
【００２９】
請求項７に係る発明によれば、キャリアが調整位置へ移動すると、キャリアの一部がアーム部材に当接してこれを揺動させることになり、基準磁性部材を回転させて検出状態とする。また、キャリアが調整位置から移動すると、キャリアがアーム部材への当接を解除してこれを揺動させることになり、基準磁性部材を回転させて退避状態とする。したがって、キャリアの移動の力を利用して、基準磁性部材を検出状態と退避状態とに切り替えるため、この切り替えのための専用の駆動源および駆動機構が不要となり、コストを低減することができる。
【００３０】
請求項８に係る発明によれば、基準磁性部材が、カセットに収納されるべき棒金の金種と同一材質で形成されているため、容易な処理で正確な補正データを作成できる。
【００３１】
請求項９に係る発明によれば、確認手段によりカセット内の正常棒金の在り高を確認する場合には、その直前に、キャリアを調整位置に配置して補正手段で補正値を求め、その後、キャリアをカセットの長さ方向の全体に亘って少なくとも一度移動させてカセット内の棒金を磁気データ検出手段で検出するため、カセット内の正常棒金の在り高をより正確に確認することができる。
【００３２】
請求項１０に係る発明によれば、棒金保持機構は下降した状態で棒金を上側から抱えるように保持することができるため、このように棒金保持機構で棒金を保持した状態で、キャリアをカセットの長さ方向に沿って後端側から前端側に移動させることで、長さ方向一側の前端側が後端側より低く且つ幅方向を横方向に沿わせて配置されたカセットに対して、高さの高い後端側から幅方向に沿う姿勢で棒金を受け入れ、高さの低い前端側に寄せて収納してこの前端側から取り出し可能とする場合に、棒金をカセットの幅方向に沿う姿勢のまま搬送でき、確実に整列状態で収納することができる。しかも、磁気データ検出手段を移動させるキャリアおよび駆動機構を、棒金保持機構を移動させるキャリアおよび駆動機構と共用できるため、コストを低減することができる。
【００３３】
請求項１１に係る発明によれば、第１部材を一側下降状態とすると、この第１部材が棒金の前後一側に通過を規制するように配置されることになり、第２部材を一側下降状態にある第１部材に対し下降した他側下降状態とすると、この第２部材が棒金の前後他側に通過を規制するように配置されることになって、棒金を上側から抱えるように保持する状態となり、棒金を搬送できる。そして、第１部材を一側上昇状態とすると、この第１部材が棒金の通過を許容し且つ第２部材をも棒金の通過を許容する状態とすることになって、棒金に干渉せずに移動可能となる。よって、棒金保持機構による棒金の保持および保持解除を簡素な構造でできることになる。
【００３４】
請求項１２に係る発明によれば、第１部材が一側下降状態で棒金の前側に通過を規制するように配置され、第２部材が他側下降状態で棒金の後側に通過を規制するように配置されるため、第１部材を一側下降状態とし、第２部材を第１部材に対し上昇させておくことで、棒金を良好に第１部材で受けることができる。この状態から第２部材を下降させて他側下降状態とすると、棒金を前後で保持することになって、良好に搬送することができる。このように、第２部材のみを昇降させれば、棒金の受け入れおよび搬送を良好に行うことができることになるため、棒金保持機構をさらに簡素な構造にできる。
【００３５】
請求項１３に係る発明によれば、棒金保持機構は、カセットの長さ方向に沿って移動可能に設けられるキャリアに対して揺動可能に設けられた第１部材が、下側に中間所定位置よりも揺動すると、付勢部材の付勢力で下降側に付勢され、いわゆるスナップアクションによって一側下降状態まで揺動して一側下降状態に維持される。また、第１部材は、上側に中間所定位置よりも揺動すると、付勢部材の付勢力で上昇側に付勢され、スナップアクションによって一側上昇状態まで揺動して一側上昇状態に維持される。よって、第１部材に対する一側下降状態および一側上昇状態の維持と揺動付勢とを簡素な構成で行うことができる。
【００３６】
請求項１４に係る発明によれば、棒金保持機構の後端側への移動時に、付勢部材の付勢力で一側上昇状態に維持されていた第１部材が、下降変換部材によって中間所定位置よりも下側に揺動させられることになり、これにより、付勢部材の付勢力で第１部材が一側下降状態に揺動しこの状態に維持される。よって、次の棒金の受け入れ準備に際して第１部材を一側下降状態とすることができる。
【００３７】
請求項１５に係る発明によれば、棒金保持機構の後端側への移動時に、下降変換部材および付勢部材により一側下降状態となる第１部材に対し、第２部材が、退避変換部材によって上側に揺動させられて棒金の通過を許容する状態になる。よって、次の棒金の受け入れ準備に際して、第１部材を一側下降状態とし第２部材を上側に揺動させた状態にすることができる。
【００３８】
請求項１６に係る発明によれば、棒金保持機構の前端側への移動時に、棒金保持機構に設けられた接触部が、カセットに既に収納されている棒金に接触して、付勢部材の付勢力で一側下降状態に維持されていた第１部材を中間所定位置よりも上側に揺動させるため、付勢部材の付勢力で第１部材が一側上昇状態に揺動しこの状態に維持され、第２部材とともに棒金の通過を許容する状態となる。このように、カセットに既に収納されている棒金によって、第１部材および第２部材が、棒金の保持を解除して棒金の通過を許容する状態になるため、既に収納されている棒金の数に対応した位置で棒金の保持を解除できる。
【００３９】
請求項１７に係る発明によれば、棒金保持機構の前端側への移動時に、付勢部材の付勢力で一側下降状態に維持されていた第１部材が、上昇変換部材によって中間所定位置よりも上側に揺動させられることになり、これにより、付勢部材の付勢力で第１部材が一側上昇状態に揺動しこの状態に維持される。よって、第１部材および第２部材が、棒金の保持を解除して棒金の通過を許容する状態になるため、既に収納されている棒金がない場合でも、対応した位置で棒金の保持を解除できる。
【００４０】
請求項１８に係る発明によれば、確認手段によりカセット内の正常棒金の在り高を確認する場合には、その直前にキャリアを調整位置に配置して補正手段で補正値を求めた後、キャリアをカセットの前端側へ移動させて、接触部の棒金への接触または上昇変換部材によって、棒金保持機構の第１部材を中間所定位置よりも上側に揺動させて付勢部材により一側上昇状態とし、その後、キャリアをカセットの後端側に移動させながらカセット内の棒金を磁気データ検出手段で検出することになる。よって、棒金保持機構による棒金の搬送に必要な作動を利用して、棒金保持機構を棒金に対して逃がし、この状態で磁気データ検出手段によるカセット内の棒金の検出ができる。
【発明を実施するための最良の形態】
【００４１】
本発明の一実施形態の棒金収納装置を図面を参照して以下に説明する。図１に示すように、本実施形態の棒金収納装置１０は、硬貨入出金機１１に付設されて用いられるものである。
【００４２】
まず、硬貨入出金機１１について説明する。
硬貨入出金機１１は、図２に概略的に示すように、バラ硬貨が投入される入金口１５と、入金口１５に投入されたバラ硬貨を一枚ずつに分離して繰り出す分離繰出部１６と、分離繰出部１６から繰り出されたバラ硬貨を搬送する入金搬送部１７と、入金搬送部１７で搬送中の硬貨を鑑別しつつ金種別に計数する入金鑑別部１８と、入金鑑別部１８の鑑別結果から真以外のバラ硬貨を入金搬送部１７から排除するリジェクト部１９と、リジェクト部１９で入金搬送部１７から排除されたバラ硬貨を案内するリジェクト搬送部２０と、リジェクト搬送部２０で案内されたバラ硬貨が機外に取り出し可能に放出されるリジェクト口２１とを有している。
【００４３】
また、硬貨入出金機１１は、入金鑑別部１８で真と鑑別され入金搬送部１７でさらに下流に搬送されるバラ硬貨を金種別に選別する金種別選別部２２と、金種別選別部２２で金種別に選別されたバラ硬貨を金種別に一時貯留させる金種別一時貯留部２３と、金種別一時貯留部２３に一時貯留されたバラ硬貨を返却のため案内する返却搬送部２４と、返却搬送部２４で案内されたバラ硬貨が機外に取り出し可能に放出される返却出金口２５とを有している。
【００４４】
また、硬貨入出金機１１は、金種別一時貯留部２３に一時貯留されたバラ硬貨を金種別に収納するとともに収納しているバラ硬貨を計数しつつ出金可能な金種別収納出金部２７と、金種別収納出金部２７から出金されたバラ硬貨を返却出金口２５に案内する出金搬送部２８と、金種別収納出金部２７から出金されたバラ硬貨を棒金収納装置１０に向けて搬送する棒金作成搬送部２９とを有している。硬貨入出金機１１は、棒金収納装置１０と共用の操作部３０、制御部３１および表示部３２を有している。
【００４５】
ここで、上記した硬貨入出金機１１は、入金のためのバラ硬貨が入金口１５に投入されて、操作部３０にスタート操作が入力されると、制御部３１が、入金口１５内のバラ硬貨を分離繰出部１６で一枚ずつ入金搬送部１７に繰り出させて入金搬送部１７で搬送する。制御部３１は、入金搬送部１７で搬送中に入金鑑別部１８で真以外と鑑別された硬貨をリジェクト搬送部２０でリジェクト口２１に送り、真と鑑別された硬貨を計数しつつ金種別選別部２２で選別して金種別一時貯留部２３に一時貯留させる。そして、入金口１５に投入されたバラ硬貨がすべてリジェクト口２１あるいは金種別一時貯留部２３に送られると、制御部３１は、表示部３２に鑑別結果を出力する。この鑑別結果を見て操作者が操作部３０にキャンセル操作を入力すると、制御部３１は、金種別一時貯留部２３に一時貯留させていた硬貨を返却搬送部２４を介して返却出金口２５に返却する。他方、鑑別結果を見て操作者が操作部３０に承認操作を入力すると、制御部３１は、金種別一時貯留部２３に一時貯留させていた硬貨を金種別収納出金部２７に収納させる。
【００４６】
また、出金操作が操作部３０に入力されると、制御部３１が、金種別出金収納部２７から入力に応じた金種および数のバラ硬貨を出金搬送路２８に繰り出させて、出金搬送路２８で返却出金口２５に出金させる。
【００４７】
さらに、金種別出金収納部２７に収納中の硬貨を包装するために、適宜のタイミングで、制御部３１が、金種別出金収納部２７からバラ硬貨を棒金作成搬送部２９により棒金収納装置１０に搬送する。
【００４８】
図１に示す本実施形態の棒金収納装置１０は、金種別出金収納部２７から棒金作成搬送部２９によって搬送されてきたバラ硬貨を受け入れて一旦貯留させる貯留部３５と、貯留部３５から一枚ずつ分離して繰り出された硬貨を所定枚数ずつ集積して包装紙を巻き回し包装紙の両端部を加締めて棒金Ｂとする包装部３６とを有している。
【００４９】
また、棒金収納装置１０は、図３にも示すように、機体中間位置で左右に延在するように配置され、包装部３６から、左右方向に沿う姿勢で送り出された棒金Ｂを振り分けのため機体左右方向に搬送する横型ベルトコンベア式の振分搬送部３７と、振分搬送部３７で一端側に向け搬送される棒金Ｂを中間位置で機体前面側に振り分ける中間振分部３８と、この中間振分部３８で機体前面側に振り分けられた棒金Ｂを収納するローカル時クリアボックス３９と、中間振分部３８では機体前面側に振り分けられずに振分搬送部３７で一端側にさらに搬送される棒金Ｂを振分搬送部３７の一端部で機体前面側および後面側に選択的に振り分ける端末振分部４０と、この端末振分部４０で機体前面側に振り分けられた棒金Ｂを収納する機内クリアボックス４１と、端末振分部４０で機体後面側に振り分けられた棒金Ｂを左右方向に沿う姿勢のまま機体後面に向けて搬送する横型ベルトコンベア式の後方搬送部４２と、振分搬送部３７で他端側に向け搬送される棒金Ｂを機体前面側に案内する前方案内部４３とを有している。
【００５０】
加えて、棒金収納装置１０は、後方搬送部４２で機体後面側に搬送されてきた棒金Ｂを左右方向に沿う姿勢のまま受け入れて機体左右方向逆側に向け搬送する横型ベルトコンベア式の横搬送部４５と、横搬送部４５の棒金Ｂを上流位置で機体後面側に振り分ける上流振分部４６と、上流振分部４６で振り分けられずに横搬送部４５で搬送されてきた棒金Ｂを端末位置で機体後面側に案内する端末案内部４７と、上流振分部４６および端末案内部４７で機体後面側に案内された棒金Ｂを左右方向に沿う姿勢のまま上昇搬送する図４に示すエレベータ４９を有する左右一対の上昇搬送部４８とを有している。
【００５１】
そして、各上昇搬送部４８の前側に、上下方向に多段状に配置されたカセット５０がそれぞれ設けられている。各エレベータ４９のカセット５０とは反対側には、エレベータ４９で搬送されてきた棒金Ｂを複数段のカセット５０のいずれか選択された一つに向けてプッシャ５１ａで押し出す収納振分部５１が設けられている。すべてのカセット５０は、収納振分部５１で上昇搬送部４８から押し出された棒金Ｂを機体後面側の後端部の一段高い受入台部５４から左右方向に沿う姿勢のまま受け入れる。すべてのカセット５０は、機体前面側の前端側が機体後面側の後端側に対して低く傾斜している。二列のカセット５０の機体前面側には、図５に示すように、進退可能な持上部材５２によって各列のカセット５０の前端部から棒金Ｂを選択的に持ち上げて取り出す棒金取出部（棒金取出手段）５３がそれぞれ設けられており、各棒金取出部５３の機体前面側には、棒金取出部５３によってカセット５０から取り出された棒金Ｂを搬送する縦型ベルトコンベア式の棒金搬送部５５が設けられている。ここで、各カセット５０は金種別となっており、同一のカセット５０には同一金種の棒金Ｂのみが収納される。例えば、最も上側のカセットには１円硬貨の棒金が、上から二番目のカセットには５円硬貨の棒金が、上から三番目のカセットには１０円硬貨の棒金が、上から四番目のカセットには５０円硬貨の棒金が、上から五番目のカセットには１００円硬貨の棒金が、最下段のカセットには５００円硬貨の棒金が、それぞれ収納される。
【００５２】
各棒金搬送部５５は、移動方向に対して傾斜形成された載置片５６を等間隔で外側に有する縦型ベルトコンベア５７と、この縦型ベルトコンベア５７の外側を覆うように設けられた搬送空間形成部５８とを有している。そして、棒金取出部５３のカセット５０側に前進状態の持上部材５２で持ち上げられることによって持上部材５２の傾斜で転動しつつ移動する棒金Ｂを、搬送空間形成部５８に形成された開口部５８ａを介して縦型ベルトコンベア５７と搬送空間形成部５８とで形成される搬送空間に受け入れて、搬送空間内の載置片５６に載置させる。載置片５６を移動させることで載置片５６に載置された棒金Ｂを昇降させる。なお、棒金取出部５３の持上部材５２は、下降するときはカセット５０から後退した状態で下降する。
【００５３】
ここで、棒金搬送部５５の一方は、図６に示すように、その下部が、上記した振分搬送部３７で搬送され前方案内部４３で機体前面側に案内された棒金Ｂを受け入れて搬送し、シュート６１を介して機体前面に設けられた放出口５９に案内することになり、放出口５９から放出された棒金Ｂは、その前に載置される別体の図１に示す受入ボックス６０に収納される。つまり、前方案内部４３で機体前面側に案内された棒金Ｂを、搬送空間形成部５８に形成された開口部５８ｂを介して縦型ベルトコンベア５７と搬送空間形成部５８とで形成される搬送空間に受け入れて、搬送空間内の載置片５６に載置させる。載置片５６を下方から前方、さらには上方に移動させることで棒金Ｂを収納空間内で同様に移動させ、搬送空間形成部５８に形成された開口部５８ｃおよびシュート６１を介して放出口５９に案内する。
【００５４】
各棒金搬送部５５の機体前面側には、図５に示すように、搬送空間形成部５８に形成された開口部５８ｄを搬送空間形成部５８に沿って開閉する開閉部材６２と、この開口部５８ｄを介して棒金Ｂを収納する棒金出金部６３が設けられている。すなわち、開閉部材６２が開口部５８ｄを開放しているとき、棒金搬送部５５の載置片５６で下降搬送中の棒金Ｂが開口部５８ｄに達すると、棒金Ｂは、載置片５６の傾斜で、開口部５８ｄから棒金出金部６３に向けて移動することになる。また、各棒金出金部６３の下側には、搬送空間形成部５８に開口部５８ｅを形成し、この開口部５８ｅを介して棒金Ｂを収納する棒金一括収納部６５が設けられている。すなわち、棒金搬送部５５の載置片５６で下降搬送中の棒金Ｂが開口部５８ｅに達すると、棒金Ｂは、載置片５６の傾斜で、開口部５８ｅから棒金一括収納部６５に向けて移動することになる。棒金出金部６３および棒金一括収納部６５は機体から着脱可能な箱状をなしている。
【００５５】
以上の構成の棒金収納装置１０は、適宜のタイミングで金種別収納出金部２７のいずれか一つから棒金作成搬送部２９によって搬送されてきた同一金種のバラ硬貨を貯留部３５に一旦受け入れると、制御部３１が貯留部３５から一枚ずつバラ硬貨を繰り出させて包装部３６に送り、包装部３６で所定枚数集積して包装紙を巻き回し包装紙の両端部を加締めて棒金Ｂとする。棒金Ｂが作成されると、制御部３１は、この棒金Ｂを振分搬送部３７で搬送し振り分ける。
【００５６】
例えば、棒金Ｂを振分搬送部３７で前方案内部４３側に搬送し前方案内部４３で棒金搬送部５５に案内して、棒金搬送部５５の下部で搬送する。つまり、図６に示すように、棒金Ｂを縦型ベルトコンベア５７の載置片５６で下方に案内した後、機体前面側で上方に案内する。載置片５６に載置された棒金Ｂが放出口５９に対応した開口部５８ｃの位置まで移動すると載置片５６の傾斜で放出口５９に案内され、放出口５９から放出される。
【００５７】
また、例えば、端末振分部４０で後方搬送部４２に振り分けられた棒金Ｂが、後方搬送部４２で搬送され、図４に示すように、横搬送部４５を介して上昇搬送部４８で搬送され収納振分部５１で上昇搬送部４８から押し出されて対応する金種のカセット５０に収納されることになる。
【００５８】
また、例えば、制御部３１は、棒金Ｂの出金指令を受けると、棒金取出部５３で対応する棒金Ｂをカセット５０から取り出し棒金搬送部５５の中間部および上部で搬送して棒金出金部６３に出金する。つまり、図５に示すように、棒金Ｂを縦型ベルトコンベア５７の載置片５６で上方に案内した後、機体前面側で下方に案内すると、載置片５６に載置された棒金Ｂが棒金出金部６３に対応した開口部５８ｄの位置に至ることになり、棒金Ｂは棒金出金部６３に案内される。あるいは、制御部３１は、カセット５０が満杯となると、棒金取出部５３で対応する棒金Ｂをカセット５０から取り出し棒金搬送部５５の中間部および上部で搬送して棒金一括収納部６５に収納する。つまり、棒金Ｂを縦型ベルトコンベア５７の載置片５６で上方に案内した後、機体前面側で下方に案内すると、載置片５６に載置された棒金Ｂが棒金出金部６３に対応した開口部５８ｄの位置に至ることになり、このとき開閉部材６２によって開口部５８ｄを閉じておくことで、棒金Ｂは棒金出金部６３に対応した開口部５８ｄの位置をそのまま通過し、棒金一括収納部６５に対応した開口部５８ｅの位置に至ると、常時突出する受取部材６４で棒金出金部６３に案内される。
【００５９】
次に、本実施形態の棒金収納装置１０の要部について説明する。
図５に示すカセット５０は、長さ方向を機体前後方向に向けて配置されており、長さ方向一側の前端側（機体前面側）が後端側（機体後面側）より低く、且つ幅方向を横方向（機体左右方向）に沿わせて配置されている。カセット５０は、同一形状のものが水平方向の位置を合わせ上下方向に間隔をあけて図７に示すように複数具体的には金種と同じ六個、多段状に配置されている。
【００６０】
より具体的に、カセット５０は、図５に示すように、長さ方向一側の前端側が後端側より低く、且つ幅方向を水平方向に沿わせて配置された長方形状の底板部７０と、底板部７０の幅方向の両側縁部から垂直に立ち上がる一対の側板部７１と、底板部７０の前端縁部から垂直に立ち上がる前端板部７２と、両側板部７１の上縁部から相互近接側に延出する上板部７３とを有している。そして、底板部７０の前端側から前端板部７２にかけて、その幅方向の中間部に、棒金取出部５３の持上部材５２を通過させるための切欠部７５が形成されている。
【００６１】
なお、カセット５０は、図４に示す上昇搬送部４８から収納振分部５１で押し出された棒金Ｂを、その長さ方向（軸線方向）をカセット５０の幅方向に沿わせた姿勢で、後端部の受入位置から両側板部７１の間、且つ底板部７０の底面７０ａ上に受け入れることになり、棒金Ｂは、カセット５０の傾斜によって、図５に示す前端板部７２から順に隙間無く当接して、カセット５０の長さ方向に並列する状態でカセット５０に収納されることになる。
【００６２】
また、棒金取出部５３は、持上部材５２を前進状態とし切欠部７５内において下から上に移動させることで、カセット５０に収納された棒金Ｂのうち前端板部７２に当接する前端の棒金Ｂを持ち上げてその傾斜により棒金搬送部５５に搬送し、持上部材５２を後退状態としカセット５０から離れた位置で上から下に移動させ、再び持上部材５２を前進状態として下から上に移動させることを繰り返す結果、カセット５０に収納されている棒金Ｂを前端側のものから一本ずつ順に取り出すことになる。
【００６３】
各カセット５０の上側には、図７に示すように、それぞれ昇降可能な棒金保持機構８０が設けられており、これら棒金保持機構８０は、これらをカセット５０の長さ方向に沿って移動させる駆動機構（駆動手段）８１に連結されている。
【００６４】
駆動機構８１は、最も下側のカセット５０の下側でカセット５０と平行に延在するスライド軸８５と、このスライド軸８５に摺動自在に支持されるスライドブロック８６と、スライドブロック８６から上方に延出する保持板８７と、スライド軸８５の両端側の下方に配置された一対のプーリ８８と、これらプーリ８８に掛けられることでスライド軸８５と平行に配設される駆動ベルト８９と、一方のプーリ８８に連結されたモータ９０とを有しており、駆動ベルト８９の一部がスライドブロック８６に固定されている。これにより、駆動機構８１は、モータ９０の正逆回転で、スライドブロック８６および保持板８７をカセット５０の長さ方向に往復動させる。
【００６５】
保持板８７は、図８に示すように、上下に多段状に配置されたカセット５０の左右方向側方で上下に延在しており、この保持板８７に各カセット５０側に延出するように図９に示す棒金保持機構８０が取り付けられている。
【００６６】
棒金保持機構８０は、保持板８７にカセット５０側に延出するように固定されて保持板８７とでキャリア９１を構成するキャリア本体（支持部）９５と、このキャリア本体９５にキャリア本体９５から後方に延出するように連結された受けブロック（第１部材）９６と、この受けブロック９６に受けブロック９６よりも後方に延出するように連結された押さえブロック（第２部材）９７とを有している。すべての棒金保持機構８０のキャリア本体９５が保持板８７に固定されていることから、保持板８７および複数のキャリア本体９５で構成されるキャリア９１が、カセット５０の長さ方向に沿って移動可能に設けられている。
【００６７】
キャリア本体９５には、カセット５０の幅方向に沿って回動軸１００が設けられており、受けブロック９６は、この回動軸１００に基端側が回動可能に支持されている。受けブロック９６は、回動軸１００から後方に延出する図１０および図１１に示す左右一対の延出部１０１と、これら延出部１０１の後端部同士を連結させるように左右方向に延在する先端連結部１０２とを有している。先端連結部１０２は、延出部１０１よりも下側に突出するように形成されている。
【００６８】
ここで、受けブロック９６は、キャリア本体９５に対して、図示略のストッパによって、後方に延出する姿勢のまま上下に所定の角度範囲で揺動するように揺動範囲が規制されている。受けブロック９６は、最も下側に下降した一側下降状態にあるとき、図１４に示すように、先端連結部１０２を、カセット５０の底面７０ａ上にある棒金Ｂの前後一側である前側に、棒金Ｂの通過を規制する高さに配置する。また、受けブロック９６は、最も上側に上昇した一側上昇状態にあるとき、図１５に示すように、先端連結部１０２を、カセット５０の底面７０ａ上にある棒金Ｂの通過を許容する高さに配置する。
【００６９】
また、受けブロック９６とキャリア本体９５との間には、図示は略すが、受けブロック９６がキャリア本体９５に対し下側に、中間の所定の付勢方向切替位置（中間所定位置）よりも揺動すると、これを下側に付勢して一側下降状態に維持する一方、受けブロック９６が上側に付勢方向切替位置よりも揺動すると、これを上側に付勢して一側上昇状態に維持する図示略の受けブロック付勢スプリング（付勢部材）が設けられている。つまり、この受けブロック付勢スプリングにより、受けブロック９６はキャリア本体９５に対して上下に、いわゆるスナップアクションを行う。
【００７０】
図１０および図１１に示すように、受けブロック９６の延出部１０１の前端側には、カセット５０の幅方向に沿って回動軸１０５が設けられており、押さえブロック９７は、この回動軸１０５に基端側が回動可能に支持されている。押さえブロック９７は、回動軸１０５から受けブロック９６よりもさらに後方に延出する左右一対の延出部１０６と、これら延出部１０６の後端部同士を連結させるように左右方向に延在する先端連結部１０７とを有している。延出部１０６の先端連結部１０７側および先端連結部１０７は、延出部１０６の先端連結部１０７とは反対側よりも下側に突出する湾曲状に形成されている。
【００７１】
ここで、押さえブロック９７は、受けブロック９６に対して、図示略のストッパによって、後方に延出する姿勢のまま上下に所定の角度範囲で揺動するように揺動範囲が規制されている。押さえブロック９７は、一側下降状態にある受けブロック９６に対して下降した他側下降状態にあるとき、図１４に示すように、先端連結部１０７を、カセット５０の底面７０ａ上にある棒金Ｂの前後他側である後側に、棒金Ｂの通過を規制する高さに配置する。また、押さえブロック９７は、一側下降状態にある受けブロック９６に対して上昇した他側上昇状態にあるとき、図１２に示すように、先端連結部１０７を、カセット５０の底面７０ａ上にある棒金Ｂの通過を許容する高さに配置する。
【００７２】
また、押さえブロック９７は、図１５および図１６に示すように、受けブロック９６が一側上昇状態にあるときには、受けブロック９６に対して下側に最も下降した状態にあっても、カセット５０の底面７０ａ上にある棒金Ｂの通過を許容する高さに配置される。
【００７３】
キャリア本体９５には、図１１に示すように、前後に二本の回転軸１１０，１１１が設けられている。前側の回転軸１１０の受けブロック９６側には、後方に延出するようにアーム１１２が固定されており、このアーム１１２の先端側には受けブロック９６側に突出して受けブロック９６の側部の係合溝１１３に係合する係合ピン１１４が固定されている。また、前側の回転軸１１０の受けブロック９６とは反対側にも後方に延出するようにアーム１１５が固定されており、このアーム１１５の先端側には受けブロック９６とは反対側に突出する作動ピン１１６が固定されている。この作動ピン１１６が昇降することで、これと一体に設けられたアーム１１５、回転軸１１０およびアーム１１２が回動し、アーム１１２に固定された係合ピン１１４が昇降して、受けブロック９６を昇降させる。
【００７４】
また、後側の回転軸１１１の押さえブロック９７側には、後方に延出するようにアーム１２０が固定されており、このアーム１２０の先端側には押さえブロック９７側に突出して押さえブロック９７の係合溝１２１に係合する係合ピン１２２が固定されている。また、後側の回転軸１１１の押さえブロック９７とは反対側にも後方に延出するようにアーム１２３が固定されており、このアーム１２３の先端側には押さえブロック９７とは反対側に突出する作動ピン１２４が固定されている。この作動ピン１２４が昇降することで、これと一体に設けられたアーム１２３、回転軸１１１およびアーム１２０が回動し、アーム１２０に固定された係合ピン１２２が昇降して、押さえブロック９７を昇降させる。
【００７５】
棒金保持機構８０は、図１２に示すように、カセット５０の後端側の所定の受取位置で停止して、収納振分部５１からの棒金Ｂを受け取ることになり、カセット５０には、棒金保持機構８０の後端側への移動時に、受取位置より手前の所定位置で、この移動の力を利用して作動ピン１１６を下降させて、後述するように一側上昇状態にあった受けブロック９６を付勢方向切替位置よりも下側に揺動させる、後下がり形状の下降変換部材１３０が固定されている。この下降変換部材１３０によって受けブロック９６が所定の受取位置では一側下降状態となる。
【００７６】
また、カセット５０には、棒金保持機構８０の後端側への移動時に、下降変換部材１３０および図示略の受けブロック付勢スプリングにより一側下降状態となる受けブロック９６に対し、受取位置より手前の所定位置で、この移動の力を利用して作動ピン１２４を上昇させて、後述するように他側下降状態にあった押さえブロック９７を上側に揺動させて、図１２に示すように他側上昇状態とする後上がり形状の退避変換部材１３１が固定されている。なお、退避変換部材１３１は前部が後上がり形状をなし、中間部がカセット５０の底面７０ａと平行をなし、後部が後下がりの形状をなしており、棒金保持機構８０が受取位置にあるとき作動ピン１２４は中間部上に位置する。
【００７７】
以上により、棒金保持機構８０は、図１２および図１３に示す受取位置にあるとき、受けブロック９６をキャリア本体９５に対し下側に揺動させた一側下降状態とし、押さえブロック９７を受けブロック９６に対し上側に揺動させた他側上昇状態とする。この状態で、収納振分部５１から棒金Ｂがカセット５０の幅方向に沿う姿勢でカセット５０の後端部の底面７０ａ上に放出されると、この棒金Ｂが底面７０ａの傾斜によって前側に移動し、押さえブロック９７の下側を通って受けブロック９６に当接しカセット５０の幅方向に沿う姿勢で停止する（図１３に示す状態）。なお、棒金保持機構８０は、待機状態にあるときこの受取位置で停止することになる。また、棒金保持機構８０が受取位置に位置したことを保持板８７の位置から検出する図示略の受取位置センサが設けられている。
【００７８】
そして、このように棒金Ｂを受け取った状態から棒金保持機構８０がカセット５０の前端側へ移動すると、その初期に、図１４に示すように、退避変換部材１３１に沿って作動ピン１２４が下降し、その結果、押さえブロック９７が下降して棒金Ｂに当接する。これにより、棒金保持機構８０は、受けブロック９６が一側下降状態となり、押さえブロック９７が他側下降状態となって、共に下降した状態となり、カセット５０の底面７０ａ上の棒金Ｂを上側から抱えるように保持する状態となる。言い換えれば、棒金保持機構８０は棒金Ｂを上側から囲むように保持する状態、さらに言い換えれば、棒金保持機構８０は棒金Ｂを上側から前後に相対移動不可に一体的に保持する状態となる。このとき、棒金Ｂは、前側が受けブロック９６に当接し、後側が押さえブロック９７に当接し、下側が底面７０ａに当接した、軸方向視で三点支持の状態となり、棒金保持機構８０のカセット５０の前端側への移動で、この三点支持状態のまま前端側へ移動する。つまり、棒金保持機構８０により棒金Ｂが、カセット５０の幅方向に沿う姿勢のまま、ふらついたり、斜行したり、棒金保持機構８０に対し遅れたりすることなく移動する。
【００７９】
ここで、棒金保持機構８０の受けブロック９６には、棒金保持機構８０のカセット５０の前端側への移動時に、カセット５０に既に収納されている棒金Ｂに接触して一側下降状態にあった受けブロック９６を付勢方向切替位置よりも上側に揺動させる接触部１３３が先端連結部１０２における回動軸１００側の下部に形成されている。
【００８０】
つまり、棒金保持機構８０が、上記のようにその受けブロック９６を一側下降状態とし押さえブロック９７を他側下降状態として棒金Ｂを抱えつつカセット５０の前端側に移動すると、保持している棒金Ｂが既にカセット５０に収納されている棒金Ｂの最後尾のものに当接した後に、受けブロック９６の接触部１３３が既にカセット５０に収納されている棒金Ｂの最後尾のものに当接し、その移動の力を利用してこの棒金Ｂに乗り上げる。これにより、受けブロック９６が付勢方向切替位置よりも上側に揺動させられることになり、図１５に示すように、受けブロック付勢スプリングの付勢力で一側上昇状態となる。その結果、受けブロック９６および押さえブロック９７が共に棒金Ｂから離れ、棒金Ｂの受けおよび押さえを解除する。このとき、接触部１３３が最後尾の棒金Ｂに接触する前に、最後尾の棒金Ｂに、受けブロック９６および押さえブロック９７で保持されていた棒金Ｂが当接して停止することになるが、後側の押さえブロック９７は、保持していた棒金Ｂによって上方に揺動させられてこの棒金Ｂよりも前方に移動する。なお、棒金保持機構８０が、受取位置に位置したときに、受けブロック９６および押さえブロック９７が既にカセット５０に収納されている棒金Ｂの最後尾のものに当接することがないように、棒金Ｂの収納スペース（満杯量）が設定されている。つまり、カセット５０の棒金Ｂを収納する収納スペースの後端部は、受取位置よりも前側に設定されている。
【００８１】
また、カセット５０には、棒金保持機構８０の前端側への移動時に、棒金保持機構８０で保持している棒金Ｂがカセット５０の前端板部７２に当接する直前に、この移動の力を利用して作動ピン１１６を上昇させて、一側下降状態にあった受けブロック９６を付勢方向切替位置よりも上側に揺動させる前上がり形状の図１６に示す上昇変換部材１３５が固定されている。
【００８２】
つまり、棒金保持機構８０が、その受けブロック９６を一側下降状態とし押さえブロック９７を他側下降状態として棒金Ｂを抱えつつカセット５０の前端側に移動すると、カセット５０にすでに収納されている棒金Ｂがない状態では、保持している棒金Ｂが前端板部７２に当接する直前に、上昇変換部材１３５が棒金保持機構８０の移動の力を利用して作動ピン１１６を上昇させることになり、受けブロック９６が付勢方向切替位置よりも上側に揺動し受けブロック付勢スプリングの付勢力で一側上昇状態となる。これにより、受けブロック９６および押さえブロック９７が共に棒金Ｂから離れ、棒金Ｂの受けおよび押さえを解除する。すると、棒金保持機構８０で保持されていた棒金Ｂが、カセット５０の前端板部７２に当接して停止する。なお、棒金保持機構８０は、上昇変換部材１３５によって作動ピン１１６が上昇させられた後に、前端位置で一旦停止して、後端側の待機位置に戻ることになり、棒金保持機構８０が前端位置に位置したことを保持板８７の位置から検出する図示略の前端位置センサが設けられている。
【００８３】
図７に示すように、各カセット５０の上側に設けられたキャリア本体９５には、最上段のカセット５０の上側のキャリア本体９５を除いて、図９に示すように、下側および上側に磁気センサ１４０，１４１が取り付けられている。キャリア本体９５に支持された下側の磁気センサ１４０は、直ぐ下側のカセット５０に収納されている棒金Ｂの磁気データを検出する。同じキャリア本体９５に支持された上側の磁気センサ１４１は、直ぐ上側のカセット５０に収納されている棒金Ｂの磁気データを底板部７０に形成された図示略の検出溝を介して検出する。つまり、キャリア９１のうち、最上段のカセット５０の上側のキャリア本体９５を除くキャリア本体９５は、上下に隣り合うカセット５０の間位置にあってこれらカセット５０に共通の支持部となり、上下に隣り合うカセット５０のうちの一方上側のものに収納された棒金Ｂ用の一対の磁気センサ１４０，１４１のうちの下側の一方である磁気センサ１４０と、隣り合うカセット５０のうちの他方下側のものに収納された棒金Ｂ用の一対の磁気センサ１４０，１４１の上側の一方である磁気センサ１４１とを支持する。
【００８４】
ここで、カセット５０の直ぐ上側に設けられたキャリア本体９５の下側の磁気センサ１４０と同じカセット５０の直ぐ下側に設けられたキャリア本体９５の上側の磁気センサ１４１とが、互いにキャリア本体９５の移動方向における前後左右の位置を合わせて対向し、互いの間にあるカセット５０の底面７０ａと直交する方向に配置されていて、このカセット５０に収納された棒金Ｂの磁気データを検出する磁気データ検出部（磁気データ検出手段）１４２を構成している。つまり、磁気データ検出部１４２は、カセット５０に収納された棒金Ｂを直径方向において挟むように配置された一対の磁気センサ１４０，１４１で構成されている。
【００８５】
なお、最上段のカセット５０の上側のキャリア本体９５には、下側の磁気センサ１４０のみが取り付けられており、上から二番目のカセット５０の上側のキャリア本体９５の上側の磁気センサ１４１と対向して、最上段のカセット５０に収納されている棒金Ｂを検出する磁気データ検出部１４２を構成する。
【００８６】
また、最下段のカセット５０の下側には、キャリア９１を構成するとともに磁気センサ１４１を支持するのみの最下キャリア本体９５Ａが保持板８７から延出しており、この最下キャリア本体９５Ａには上向きに磁気センサ１４０が取り付けられている。この磁気センサ１４０は、最下段のカセット５０の上側のキャリア本体９５の下側の磁気センサ１４１と対向して、最下段のカセット５０に収納されている棒金Ｂを検出する磁気データ検出部１４２を構成する。
【００８７】
すべてのカセット５０には、収納振分部５１から放出された棒金Ｂを受け入れる後端部の受入位置から、収納振分部５１からの棒金Ｂを棒金保持機構８０によって受け取る受取位置の若干後方まで、図１７に示すように、カセット５０の底面７０ａと略平行で底面７０ａよりも上側に一段高い受入台部５４が形成されている。この受入台部５４には、受入位置よりも前側に上下に貫通する図１８および図１９に示す穴部１４６が形成されており、この穴部１４６から受入台部５４上に突出可能に基準磁性部材１５０が設けられている。
【００８８】
受入台部５４の下側には、カセット５０の幅方向に沿って回転軸１５１が位置固定で回転可能に設けられており、基準磁性部材１５０は、この回転軸１５１に固定されている。基準磁性部材１５０は、図１７に示すように、同心状をなして１８０度異なる位置に配置される一対の円弧状部１５２と、これら円弧状部１５２の円周方向の中間部同士を連結させる連結板部１５３とを有している。そして、基準磁性部材１５０は、一方の円弧状部１５２において、回転軸１５１に固定されており、両側の円弧状部１５２の中心軸線を回転軸１５１に平行させている。
【００８９】
基準磁性部材１５０は、これが設けられるカセット５０に収納されるべき棒金Ｂの金種と同一材質で形成されており、しかも、円弧状部１５２の外径が同カセット５０に収納される棒金Ｂの硬貨と同外径に形成されている。つまり、１円硬貨の棒金Ｂを収納するカセット５０に設けられる基準磁性部材１５０は、１円硬貨と同一材質且つ同径に形成されている。同様に、５円棒金用のカセット５０の基準磁性部材１５０は、５円硬貨と同一材質且つ同径に、１０円棒金用のカセット５０の基準磁性部材１５０は、１０円硬貨と同一材質且つ同径に、５０円棒金用のカセット５０の基準磁性部材１５０は、５０円硬貨と同一材質且つ同径に、１００円棒金用のカセット５０の基準磁性部材１５０は、１００円硬貨と同一材質且つ同径に、５００円棒金用のカセット５０の基準磁性部材１５０は、５００円硬貨と同一材質且つ同径に、形成されている。
【００９０】
ここで、基準磁性部材１５０は、上記した受入位置と受取位置との間に設けられている。また、基準磁性部材１５０は、カセット５０の底面７０ａ上にある棒金Ｂと底面７０ａから中心までの高さを合わせている。
【００９１】
基準磁性部材１５０は、回転することで、図１８および図２０に示すように、カセット５０の受入台部５４から下に退避したり、図１９および図２１に示すように、カセット５０の受入台部５４からカセット５０内に突出したりする。つまり、図１７、図１９および図２１に示すように、一対の円弧状部１５２を結ぶ方向が受入台部５４と交差して受入台部５４から突出する検出状態と、図１８および図２０に示すように、一対の円弧状部１５２を結ぶ方向が受入台部５４と平行して受入台部５４から退避する退避状態とに切り替え可能となっている。なお、基準磁性部材１５０は、退避状態に維持されるように図示略の基準磁性部材付勢スプリングで付勢されている。回転軸１５１には、アーム部材１５６が半径方向に沿って固定されている。このアーム部材１５６は、回転軸１５１とは反対側に、回転軸１５１と平行をなして回転可能なローラ１５７を有している。
【００９２】
ここで、図１７に示すように、検出状態にある基準磁性部材１５０を直径方向において挟む位置が、磁気データ検出部１４２の一対の磁気センサ１４０，１４１でこの基準磁性部材１５０の磁気データを検出する所定の調整位置となり、キャリア９１は、磁気データ検出部１４２を基準磁性部材１５０が設けられたこの調整位置に配置可能となっている。この調整位置は、受入位置と受取位置との間、つまり受入位置と棒金Ｂを収納する収納スペースとの間に設けられている。棒金保持機構８０の磁気データ検出部１４２が調整位置に位置したことを保持板８７の位置から検出する図示略の調整位置センサが設けられている。
【００９３】
そして、図２０に示すように、基準磁性部材１５０が退避状態にあるときアーム部材１５６は後下がりに突出しており、キャリア本体９５が磁気データ検出部１４２を調整位置に位置させるように受取位置を越えて後方まで移動すると、保持板８７の一部に形成された作動傾斜面１６０がアーム部材１５６のローラ１５７に当接してその移動力によりアーム部材１５６を揺動させてアーム部材１５６と一体に設けられた基準磁性部材１５０を退避状態から回転させる。そして、キャリア９１が磁気データ検出部１４２を調整位置に配置して停止すると、図１７、図１９および図２１に示すように、基準磁性部材１５０が検出状態となる。逆に、この状態からキャリア９１が例えば受取位置まで移動すると、保持板８７の一部の作動傾斜面１６０がアーム部材１５６のローラ１５７への当接を解除しつつ基準磁性部材付勢スプリングの付勢力でアーム部材１５６を揺動させて基準磁性部材１５０を図１８および図２０に示す退避状態に戻す。なお、棒金保持機構８０の受けブロック９６および押さえブロック９７は、受取位置よりも後方に移動し、磁気データ検出部１４２が調整位置に位置する直前に、基準磁性部材１５０よりもカセット５０の後端側に位置することになり、これら受けブロック９６および押さえブロック９７が、突出する基準磁性部材１５０に対し干渉することがないように設定されている。
【００９４】
受入台部５４の穴部１４６には、受入台部５４よりも若干上側に突出する緩衝部材１６１が設けられている。この緩衝部材１６１はバネで上向きに付勢されており、収納振分部５１から受入位置に放出された棒金Ｂの受入台部５４への衝突を緩和する。
【００９５】
以上の構成の棒金収納装置１０において、例えば、包装部３６で作成した棒金Ｂを対応金種のカセット５０に収納する場合、制御部３１は、収納振分部５１のプッシャ５１ａで上昇搬送部４８から棒金Ｂを押し出して対応するカセット５０の後端部の受入位置に放出させる。すると、棒金Ｂは、基準磁性部材１５０が退避状態にある受入台部５４をその傾斜により前方に移動し、受入台部５４より一段低いカセット５０の底面７０ａに落下してさらに前方に移動する。このとき、受取位置で待機している棒金保持機構８０は、図１２に示すように、受けブロック９６をキャリア本体９５に対し下側に揺動させた一側下降状態とし、押さえブロック９７を受けブロック９６に対し上側に揺動させた他側上昇状態としているため、棒金Ｂは、図１３に示すように、押さえブロック９７の下側を通って受けブロック９６の先端連結部１０２に当接しカセット５０の幅方向に沿う姿勢で停止する。
【００９６】
上記のように収納振分部５１のプッシャ５１ａを作動させた後、棒金Ｂが受取位置にある棒金保持機構８０の受けブロック９６に当接すると想定される時間経過後のタイミングで、制御部３１は、モータ９０を駆動して保持板８７を前方に移動させる。すると、棒金保持機構８０がカセット５０の前端側へ向け移動し、その初期に、退避変換部材１３１に沿って作動ピン１２４が下降し、図１４に示すように、押さえブロック９７が自重で下降して棒金Ｂに当接する。これにより、棒金保持機構８０の受けブロック９６および押さえブロック９７が受け取った棒金Ｂを上側から抱えるように保持する状態となって前方に移動し、棒金Ｂを前方に搬送する。
【００９７】
そして、このカセット５０に既に収納されている棒金Ｂがある場合、前方に移動する棒金保持機構８０は、保持している棒金Ｂが既にカセット５０に収納されている棒金Ｂの最後尾のものに当接した後に、受けブロック９６の接触部１３３が既にカセット５０に収納されていた棒金Ｂの最後尾のものに接触して、図１５に示すように上側に揺動させられることになり、その結果、受けブロック９６が受けブロック付勢スプリングの付勢力で一側上昇状態となり、受けブロック９６および押さえブロック９７が共に棒金Ｂから上側に逃げ、棒金Ｂの受けおよび押さえを解除する。
【００９８】
また、既にカセット５０に収納されている棒金Ｂがない場合、前方に移動する棒金保持機構８０は、保持している棒金Ｂがカセット５０の前端板部７２に当接する直前に、図１６に示すように、上昇変換部材１３５により作動ピン１１６が上昇させられることになり、受けブロック９６が上方に揺動させられて受けブロック付勢スプリングの付勢力で一側上昇状態となり、受けブロック９６および押さえブロック９７が共に棒金Ｂから上側に逃げ、棒金Ｂの受けおよび押さえを解除する。すると、棒金保持機構８０で保持されていた棒金Ｂが、カセット５０の前端板部７２に当接して停止する。
【００９９】
そして、制御部３１は、前端位置センサによって保持板８７が検出されると、棒金保持機構８０が前端位置に到達したと判断して、モータ９０を停止し逆転させる。すると、保持板８７が後方に移動し、棒金保持機構８０も、受けブロック９６を一側上昇状態としたまま、つまりカセット５０の棒金Ｂよりも受けブロック９６および押さえブロック９７を上側に逃がした状態のまま、後方に移動する。
【０１００】
そして、後方に移動する棒金保持機構８０は、受取位置より手前の所定位置で、図１２に示すように、下降変換部材１３０によって、作動ピン１１６が下降させられることになり、一側上昇状態にあった受けブロック９６が下方に揺動させられて受けブロック付勢スプリングの付勢力で一側下降状態となる。また、このとき、棒金保持機構８０は、退避変換部材１３１によって、作動ピン１２４が上昇させられることになり、押さえブロック９７が上側に揺動させられて他側上昇状態となる。
【０１０１】
そして、図示略の受取位置センサで保持板８７が検出されると、制御部３１は、棒金保持機構８０が受取位置に至ったと判定して、モータ９０を停止させる。
【０１０２】
以上のようにして、一つのカセット５０に対して、棒金保持機構８０で一本ずつ棒金Ｂを収納する。なお、一本のみの棒金Ｂの収納に対しても、同じ保持板８７に保持されていることから、すべての棒金保持機構８０が、同様に動作することになり、その内の一つの棒金保持機構８０が棒金Ｂを保持して搬送する。
【０１０３】
また、操作部３０を介して、すべてのカセット５０についての正常棒金の在り高を確認する在り高確認操作が入力されると、制御部（確認手段）３１は、すべての棒金保持機構８０が受取位置にある待機状態から、まず、補正値算出処理（キャリブレーション）を行う。
【０１０４】
つまり、まず、モータ９０を駆動して保持板８７を後方に移動させる。すると、保持板８７が、すべての基準磁性部材１５０に連結されたアーム部材１５６のローラ１５７に、作動傾斜面１６０を図２０に示すように当接させることになり、その移動力によりアーム部材１５６を揺動させてアーム部材１５６と一体に設けられた基準磁性部材１５０を退避状態から回転させる。そして、制御部３１は、調整位置センサによって保持板８７が検出されると、モータ９０を停止させることになり、これにより、保持板８７に設けられた作動傾斜面１６０が、図２１に示すようにすべての基準磁性部材１５０を検出状態とする。また、このとき、図１７に示すように、すべての磁気データ検出部１４２が対向する一対の磁気センサ１４０，１４１間に基準磁性部材１５０を配置する状態となる。
【０１０５】
この状態で、制御部３１は、すべての磁気データ検出部１４２により基準磁性部材１５０の磁気データを検出する。ここで、図示略の記憶部には、すべての磁気データ検出部１４２が基準温度にあるときに調整位置で基準磁性部材１５０を検出して得られた基準温度データが各磁気データ検出部１４２別に記憶されており、この基準温度データと、今回基準磁性部材１５０を検出して得られた検出データとを比較して、温度変化によるデータのずれ量（感度変化）を各磁気データ検出部１４２別に算出し、これを補正値として各磁気データ検出部１４２別に記憶部に記憶する。これにより補正値算出処理が終了する。
【０１０６】
上記補正値算出処理の直後に、制御部３１は、在り高確認処理を行う。つまり、まず、モータ９０を駆動して保持板８７を前方に移動させる。すると、保持板８７に設けられた作動傾斜面１６０が、アーム部材１５６の押圧を解除し、図１８および図２０に示すように、すべての基準磁性部材１５０を基準磁性部材付勢スプリングの付勢力で退避状態とした後、棒金保持機構８０が受取位置を越えることになり、図１４に示すように退避変換部材１３１に沿って作動ピン１２４が下降し、押さえブロック９７が自重で下降して他側下降状態となり、一側下降状態にある受けブロック９６と共に前方に移動する。
【０１０７】
そして、カセット５０に収納されている棒金Ｂがある場合、前方に移動する棒金保持機構８０は、受けブロック９６の接触部１３３が既にカセット５０に収納されている棒金Ｂの最後尾のものに接触して上側に揺動させられることになり、その結果、図１５に示すように受けブロック９６が受けブロック付勢スプリングの付勢力で一側上昇状態となって、受けブロック９６および押さえブロック９７が共に棒金Ｂから上方に逃げる。
【０１０８】
また、既にカセット５０に収納されている棒金Ｂがない場合、前方に移動する棒金保持機構８０は、図１６に示すように、上昇変換部材１３５により作動ピン１１６が上昇させられることになり、受けブロック９６が上方に揺動させられて受けブロック付勢スプリングの付勢力で一側上昇状態となり、受けブロック９６および押さえブロック９７が共に上方に移動する。
【０１０９】
そして、制御部３１は、前端位置センサによって保持板８７が検出されると、棒金保持機構８０が前端位置に到達したと判断して、モータ９０を停止し逆転させる。すると、保持板８７が後方に移動し、すべての棒金保持機構８０が、受けブロック９６を一側上昇状態としたまま、つまりカセット５０の棒金Ｂよりも受けブロック９６および押さえブロック９７を上側に逃がした状態のまま、後方に移動する。その結果、すべての棒金保持機構８０は棒金Ｂと接触することなく後方に移動する。この後方への移動時に、図２２に示すように、磁気データ検出部１４２は一対の磁気センサ１４０，１４１の間に棒金Ｂを通過させることになり、その際に制御部３１が、すべての磁気データ検出部１４２にカセット５０に収納されている棒金Ｂの磁気データを検出させる。そして、制御部３１は、図示略の受取位置センサで保持板８７が検出されると、すべてのカセット５０の収納スペースに存在するすべての棒金Ｂを走査するようにカセット５０の長さ方向の全体に亘ってすべての磁気データ検出部１４２が一度移動し、棒金保持機構８０が受取位置に至ったと判定して、モータ９０を停止させる。なお、検出にミスが生じた場合等には、もう一度、つまりカセット５０の長さ方向の全体に亘って磁気データ検出部１４２を複数回移動させるようにする。
【０１１０】
制御部３１は、すべての磁気データ検出部１４２で検出した磁気データを、それぞれ、予め記憶部に記憶された棒金Ｂの基準磁気データと比較して、正常棒金の有無、異金種棒金の有無、および正常棒金の在り高を確認する。
【０１１１】
つまり、制御部３１は、すべての磁気データ検出部１４２について、一対の磁気センサ１４０，１４１間の距離が既定であることと正常棒金の径が既定であることとに基づいて、一方の磁気センサ１４０と検出対象の棒金Ｂとの距離に相当する一方の磁気センサ１４０による検出磁気データと、他方の磁気センサ１４１と検出対象の棒金Ｂとの距離に相当する他方の磁気センサ１４１による検出磁気データとを以下のように検証し、正常棒金であるか異金種棒金であるかを判定する。
【０１１２】
具体的に、制御部３１は、すべての磁気データ検出部１４２について、一対の磁気センサ１４０，１４１のうちの一方の磁気センサ１４０で検出される磁気データのピーク値を、一対の磁気センサ１４０，１４１間の既定の距離と正常棒金の既定の径とから割り出される、この一方の磁気センサ１４０と正常棒金との既定の距離および正常棒金の材質に応じた基準磁気データと比較する。同時に、一対の磁気センサ１４０，１４１のうちの他方の磁気センサ１４１で検出される磁気データのピーク値を、一対の磁気センサ１４０，１４１間の既定の距離と正常棒金の既定の径とから割り出される、この他方の磁気センサ１４１と正常棒金との既定の距離および正常棒金の材質に応じた基準磁気データと比較する。
【０１１３】
そして、一方の磁気センサ１４０で検出した棒金Ｂの検出磁気データと一方の磁気センサ１４０の基準磁気データとの差が許容誤差範囲内であり、かつ他方の磁気センサ１４１で検出した棒金Ｂの検出磁気データと他方の磁気センサ１４１の基準磁気データとの差が許容誤差範囲内である場合は、検出した棒金Ｂが正常棒金であると判定する一方、それ以外の場合、つまり一対の磁気センサ１４０，１４１のいずれか一方で検出した棒金Ｂの検出磁気データと基準磁気データとの差が許容誤差範囲を超える場合には、検出した棒金Ｂが異金種棒金であると判定する。そして、正常棒金と判定された検出磁気データのピーク値の数を正常棒金の計数値として計数する一方、異金種棒金と判定された検出磁気データのピーク値の数も異金種棒金の計数値として計数する。
【０１１４】
このとき、制御部３１は、上記のように、この確認動作の直前に求められ各磁気データ検出部１４２別に記憶部に記憶された補正値に基づいて、各磁気データ検出部１４２の検出データまたは各磁気データ検出部１４２用の基準磁気データを補正し、温度補償を行ってから、検出磁気データと基準磁気データとを比較することになる。つまり、補正値の分だけ補正した基準磁気データと検出磁気データとを比較するか、あるいは、検出磁気データを補正値の分だけ補正した値と、基準磁気データとを比較する。
【０１１５】
そして、同時並行で実行されたすべてのカセット５０についての確認結果である、カセット５０別の正常棒金の計数値と異金種棒金の計数値とを、記憶部に記憶させるとともに表示部３２に表示させることになる。これにより、在り高確認処理が終了する。
【０１１６】
以上に述べた本実施形態の棒金収納装置１０によれば、カセット５０の長さ方向に並列状態で収納された棒金Ｂに対して、磁気データ検出部１４２をキャリア本体９５によってカセット５０の長さ方向に移動させて各棒金Ｂの磁気データを検出する。そして、制御部３１が、予め記憶された棒金Ｂの基準磁気データと、磁気データ検出部１４２で検出した各棒金Ｂの検出磁気データとを比較して、正常棒金の有無、異金種棒金の有無、および正常棒金の在り高を確認する。このように各棒金Ｂの磁気データを検出するため、正常棒金であるか異金種棒金かを検出することができ、在り高精査の精度を向上することができる。
【０１１７】
また、磁気データ検出部１４２が、カセット５０に収納された棒金Ｂを直径方向において挟むように配置された一対の磁気センサ１４０，１４１によって構成されているため、各棒金Ｂの検出磁気データをより正確に検出することができる。したがって、正常棒金であるか異金種棒金かをより正確に検出することができ、在り高精査の精度をさらに向上することができる。
【０１１８】
また、キャリア本体９５は、隣り合うカセット５０の間位置に配置されてこれらカセット５０に共通とされ、共通のキャリア本体９５に、隣り合うカセット５０のうちの一方に収納された棒金Ｂ用の一対の磁気センサ１４０，１４１の一方の磁気センサ１４０と、隣り合うカセット５０のうちの他方に収納された棒金Ｂ用の一対の磁気センサ１４０，１４１の一方の磁気センサ１４１とを支持することになるため、磁気センサを支持する支持部の数を減らすことができ、部品点数およびコストを低減することができる。
【０１１９】
また、制御部３１が、一対の磁気センサ１４０，１４１のうちの一方の磁気センサ１４０で検出される磁気データ、および他方の磁気センサ１４１で検出される磁気データを、一対の磁気センサ１４０，１４１間の既定の距離と正常棒金の既定の径とから割り出される、一方の磁気センサ１４０と正常棒金との既定の距離および正常棒金の材質に応じた基準磁気データ、および他方の磁気センサ１４１と正常棒金との既定の距離および正常棒金の材質に応じた基準磁気データと比較することで、検出した棒金Ｂが正常棒金であるか異金種棒金であるかを確認するため、棒金Ｂの径および材質に基づいて正常棒金であるか異金種棒金であるかを確認することができる。したがって、正常棒金であるか異金種棒金かをより正確に検出することができ、在り高精査の精度をさらに向上することができる。
【０１２０】
また、制御部３１が、キャリア本体９５によって磁気データ検出部１４２を所定の調整位置に配置し、磁気データ検出部１４２で基準磁性部材１５０の磁気データを検出して、磁気データ検出部１４２の検出データの補正値または基準磁気データの補正値を求める。そして、制御部３１が、この補正値に基づいて、磁気データ検出部１４２の検出データまたは基準磁気データを補正して、正常棒金の有無、異金種棒金の有無、および正常棒金の在り高を確認する。よって、温度変化によって磁気データ検出部１４２の検出レベルが変化することがあっても、温度補償を行うことができ、正常棒金であるか異金種棒金かを正確に検出することができる。
【０１２１】
また、基準磁性部材１５０が設けられる所定の調整位置が、カセット５０の棒金Ｂを受け入れる受入位置と、棒金Ｂを収納する収納スペースとの間に設けられているため、受入位置よりも外側に設ける場合と比べて、装置の小型化を図ることができる。
【０１２２】
また、キャリア本体９５が調整位置へ移動すると、キャリア本体９５の一部がアーム部材１５６のローラ１５７に当接してこれを揺動させることになり、基準磁性部材１５０を回転させて検出状態とする。また、キャリア本体９５が調整位置から移動すると、キャリア本体９５がアーム部材１５６のローラ１５７への当接を解除してこれを揺動させることになり、基準磁性部材１５０を回転させて退避状態とする。したがって、キャリア本体９５の移動の力を利用して、基準磁性部材１５０を検出状態と退避状態とに切り替えるため、この切り替えのための専用の駆動源および駆動機構が不要となり、コストを低減することができる。
【０１２３】
また、基準磁性部材１５０が、カセット５０に収納されるべき棒金Ｂの金種と同一材質で形成されているため、容易な処理で正確な補正データを作成できる。
【０１２４】
また、制御部３１によりカセット５０内の正常棒金の在り高を確認する場合には、その直前に、キャリア本体９５を調整位置に配置して補正値を求め、その後、キャリア本体９５をカセット５０の長さ方向の全体に亘って少なくとも一度移動させてカセット５０内の棒金Ｂを磁気データ検出部１４２で検出するため、カセット５０内の正常棒金の在り高をより正確に確認することができる。
【０１２５】
また、棒金保持機構８０は下降した状態で棒金Ｂを上側から抱えるようにして保持することができるため、このように棒金保持機構８０で棒金Ｂを保持した状態で、キャリア本体９５をカセット５０の長さ方向に沿って後端側から前端側に移動させることで、長さ方向一側の前端側が後端側より低く且つ幅方向を横方向に沿わせて配置されたカセット５０に対して、高さの高い後端側から幅方向に沿う姿勢で棒金Ｂを受け入れ、高さの低い前端側に寄せて収納してこの前端側から取り出し可能とする場合に、棒金Ｂをカセット５０の幅方向に沿う姿勢のまま搬送でき、確実に整列状態で収納することができる。しかも、磁気データ検出部１４２を移動させるキャリア本体９５およびその駆動機構８１を、棒金保持機構８０を移動させるキャリア本体９５およびその駆動機構８１と共用できるため、コストを低減することができる。
【０１２６】
また、受けブロック９６を一側下降状態とすると、この受けブロック９６が棒金Ｂの前後一側に通過を規制するように配置されることになり、押さえブロック９７を一側下降状態にある受けブロック９６に対し下降した他側下降状態とすると、この押さえブロック９７が棒金Ｂの前後他側に通過を規制するように配置されることになって、棒金Ｂを上側から抱えるように保持する状態となり、棒金Ｂを搬送できる。そして、受けブロック９６を一側上昇状態とすると、この受けブロック９６が棒金Ｂの通過を許容し且つ押さえブロック９７をも棒金Ｂの通過を許容する状態とすることになって、棒金Ｂに干渉せずに移動可能となる。よって、棒金保持機構８０による棒金Ｂの保持および保持解除を簡素な構造でできることになる。
【０１２７】
また、受けブロック９６が一側下降状態で棒金Ｂの前側に通過を規制するように配置され、押さえブロック９７が他側下降状態で棒金Ｂの後側に通過を規制するように配置されるため、受けブロック９６を一側下降状態とし、押さえブロック９７を受けブロック９６に対し上昇させておくことで、棒金Ｂを良好に受けブロック９６で受けることができる。この状態から押さえブロック９７を下降させて他側下降状態とすると、棒金Ｂを前後で保持することになって、良好に搬送することができる。このように、押さえブロック９７のみを昇降させれば、棒金Ｂの受け入れおよび搬送を良好に行うことができることになるため、棒金保持機構８０をさらに簡素な構造にできる。
【０１２８】
また、棒金保持機構８０は、カセット５０の長さ方向に沿って移動可能に設けられるキャリア本体９５に対して揺動可能に設けられた受けブロック９６が、下側に中間所定位置よりも揺動すると、受けブロック付勢スプリングの付勢力で下降側に付勢され、いわゆるスナップアクションによって一側下降状態まで揺動して一側下降状態に維持される。また、受けブロック９６は、上側に中間所定位置よりも揺動すると、受けブロック付勢スプリングの付勢力で上昇側に付勢され、スナップアクションによって一側上昇状態まで揺動して一側上昇状態に維持される。よって、受けブロック９６に対する一側下降状態および一側上昇状態の維持と揺動付勢とを簡素な構成で行うことができる。
【０１２９】
また、棒金保持機構８０の後端側への移動時に、受けブロック付勢スプリングの付勢力で一側上昇状態に維持されていた受けブロック９６が、下降変換部材１３０によって中間所定位置よりも下側に揺動させられることになり、これにより、受けブロック付勢スプリングの付勢力で受けブロック９６が一側下降状態に揺動しこの状態に維持される。よって、次の棒金Ｂの受け入れ準備に際して受けブロック９６を一側下降状態とすることができる。
【０１３０】
また、棒金保持機構８０の後端側への移動時に、下降変換部材１３０および受けブロック付勢スプリングにより一側下降状態となる受けブロック９６に対し、押さえブロック９７が、退避変換部材１３１によって上側に揺動させられて棒金Ｂの通過を許容する状態になる。よって、次の棒金Ｂの受け入れ準備に際して、受けブロック９６を一側下降状態とし押さえブロック９７を上側に揺動させた状態にすることができる。
【０１３１】
また、棒金保持機構８０の前端側への移動時に、棒金保持機構８０に設けられた接触部１３３が、カセット５０に既に収納されている棒金Ｂに接触して、受けブロック付勢スプリングの付勢力で一側下降状態に維持されていた受けブロック９６を中間所定位置よりも上側に揺動させるため、受けブロック付勢スプリングの付勢力で受けブロック９６が一側上昇状態に揺動しこの状態に維持され、押さえブロック９７とともに棒金Ｂの通過を許容する状態となる。このように、カセット５０に既に収納されている棒金Ｂによって、受けブロック９６および押さえブロック９７が、棒金Ｂの保持を解除して棒金Ｂの通過を許容する状態になるため、既に収納されている棒金Ｂの数に対応した位置で棒金Ｂの保持を解除できる。
【０１３２】
また、棒金保持機構８０の前端側への移動時に、受けブロック付勢スプリングの付勢力で一側下降状態に維持されていた受けブロック９６が、上昇変換部材１３５によって中間所定位置よりも上側に揺動させられることになり、これにより、受けブロック付勢スプリングの付勢力で受けブロック９６が一側上昇状態に揺動しこの状態に維持される。よって、受けブロック９６および押さえブロック９７が、棒金Ｂの保持を解除して棒金Ｂの通過を許容する状態になるため、既に収納されている棒金Ｂがない場合でも、対応した位置で棒金Ｂの保持を解除できる。
【０１３３】
また、制御部３１によりカセット５０内の正常棒金の在り高を確認する場合には、その直前にキャリア本体９５を調整位置に配置して補正値を求めた後、キャリア本体９５をカセット５０の前端側へ移動させて、接触部１３３の棒金Ｂへの接触または上昇変換部材１３５によって、棒金保持機構８０の受けブロック９６を中間所定位置よりも上側に揺動させて受けブロック付勢スプリングにより一側上昇状態とし、その後、キャリア本体９５をカセット５０の後端側に移動させながらカセット５０内の棒金Ｂを磁気データ検出部１４２で検出することになる。よって、棒金保持機構８０による棒金Ｂの搬送に必要な作動を利用して、棒金保持機構８０を棒金Ｂに対して逃がし、この状態で磁気データ検出部１４２によるカセット５０内の棒金Ｂの検出ができる。
【０１３４】
なお、以上においては、硬貨入出金機に並設されてバラ硬貨から棒金Ｂを作成し収納する棒金収納装置１０を例にとり説明したが、棒金Ｂが手作業で装填されて出金のみを行う棒金支払機にも適用可能である。
【図面の簡単な説明】
【０１３５】
【図１】本発明の一実施形態の棒金収納装置を概略的に示す斜視図である。
【図２】本発明の一実施形態の棒金収納装置に付設される硬貨入出金機を概略的に示す側面図である。
【図３】本発明の一実施形態の棒金収納装置の下部構造を概略的に示す平面図である。
【図４】本発明の一実施形態の棒金収納装置の後部構造を示す側面図である。
【図５】本発明の一実施形態の棒金収納装置における棒金搬送部の上部構造を示す側断面図である。
【図６】本発明の一実施形態の棒金収納装置における棒金搬送部の下部構造を示す側断面図である。
【図７】本発明の一実施形態の棒金収納装置における棒金保持機構および駆動機構を示す側面図である。
【図８】本発明の一実施形態の棒金収納装置におけるカセット等を示す斜視図である。
【図９】本発明の一実施形態の棒金収納装置における棒金保持機構等を示す斜視図である。
【図１０】本発明の一実施形態の棒金収納装置における棒金保持機構を示す上側から見た斜視図である。
【図１１】本発明の一実施形態の棒金収納装置における棒金保持機構を示す下側から見た斜視図である。
【図１２】本発明の一実施形態の棒金収納装置におけるカセットおよび受取位置にある棒金保持機構を示す部分側断面図である。
【図１３】本発明の一実施形態の棒金収納装置におけるカセットおよび受取位置にある棒金保持機構を示す部分側断面図である。
【図１４】本発明の一実施形態の棒金収納装置におけるカセットおよび受取位置より前方にある棒金保持機構を示す部分側断面図である。
【図１５】本発明の一実施形態の棒金収納装置におけるカセットおよび受取位置より前方にある棒金保持機構を示す部分側断面図である。
【図１６】本発明の一実施形態の棒金収納装置におけるカセットおよび前端位置にある棒金保持機構を示す部分側断面図である。
【図１７】本発明の一実施形態の棒金収納装置におけるカセット、調整位置にある棒金保持機構および基準磁性部材を示す部分側断面図である。
【図１８】本発明の一実施形態の棒金収納装置における受入台部および退避状態にある基準磁性部材等を示す斜視図である。
【図１９】本発明の一実施形態の棒金収納装置における受入台部および検出状態にある基準磁性部材等を示す斜視図である。
【図２０】本発明の一実施形態の棒金収納装置における受入台部および退避状態にある基準磁性部材等を示す側面図である。
【図２１】本発明の一実施形態の棒金収納装置における受入台部および検出状態にある基準磁性部材等を示す側面図である。
【図２２】本発明の一実施形態の棒金収納装置における磁気データ検出部による検出状況を示す斜視図である。
【符号の説明】
【０１３６】
１０  棒金収納装置
３１  制御部（確認手段，補正手段）
５０  カセット
５３  棒金取出部（棒金取出手段）
８０  棒金保持機構
８１  駆動機構（駆動手段）
９１  キャリア
９５  キャリア本体（支持部）
９６  受けブロック（第１部材）
９７  押さえブロック（第２部材）
１３０  下降変換部材
１３１  退避変換部材
１３３  接触部
１３５  上昇変換部材
１４０，１４１  磁気センサ
１４２  磁気データ検出部（磁気データ検出手段）
１５０  基準磁性部材
１５６  アーム部材
Ｂ  棒金
【図１】
2010061511.tif 000003
【図２】
2010061511.tif 000004
【図３】
2010061511.tif 000005
【図４】
2010061511.tif 000006
【図５】
2010061511.tif 000007
【図６】
2010061511.tif 000008
【図７】
2010061511.tif 000009
【図８】
2010061511.tif 000010
【図９】
2010061511.tif 000011
【図１０】
2010061511.tif 000012
【図１１】
2010061511.tif 000013
【図１２】
2010061511.tif 000014
【図１３】
2010061511.tif 000015
【図１４】
2010061511.tif 000016
【図１５】
2010061511.tif 000017
【図１６】
2010061511.tif 000018
【図１７】
2010061511.tif 000019
【図１８】
2010061511.tif 000020
【図１９】
2010061511.tif 000021
【図２０】
2010061511.tif 000022
【図２１】
2010061511.tif 000023
【図２２】
2010061511.tif 000024